(57)【要約】【課題】周囲に湯（水）を飛び散らせることなく使用でき、打たせ湯を直接指圧具に当て、上下動させることにより、肩等のツボを刺激することができると共に、安全に使用でき、携帯に便利な打たせ湯器具を提供する。【解決手段】漏斗型に形成した器具本体内に、打たせ湯が直接当たることにより上下動する指圧具を設けてなることを特徴とする。【選択図】  図２
2004249016.tif 000002
【特許請求の範囲】
【請求項１】
漏斗型に形成した器具本体に取っ手を設けてなることを特徴とする打たせ湯器具。
【請求項２】
漏斗型に形成した器具本体内に、打たせ湯が直接当たることにより上下動する指圧具を設けてなることを特徴とする請求項１記載の打たせ湯器具。
【請求項３】
器具本体の上部に、打たせ湯が上方に飛び散らないためのカバーを設けてなることを特徴とする請求項１又は２記載の打たせ湯器具。
【請求項４】
器具本体に、打たせ湯を排出するための排出口を設けてなることを特徴とする請求項１、２又は３記載の打たせ湯器具。
【請求項５】
指圧具が、打たせ湯が当たる受部と、指圧するための軸部と、軸部を上下動させるバネ部から構成されてなることを特徴とする請求項１、２、３又は４記載の打たせ湯器具。
【請求項６】
指圧具の軸部に、ゲルマニュームによる指圧材を設けてなることを特徴とする請求項１、２、３、４又は５記載の打たせ湯器具。
【請求項７】
指圧具の軸部が、熱伝導率のよい銅あるいはアルミニウム等を使用してなることを特徴とする請求項１、２、３、４、５又は６記載の打たせ湯器具。
【発明の詳細な説明】
【０００１】
【発明の属する技術分野】
本発明は、入浴施設にある打たせ湯を効率よく、体に当てると共に、指圧具の上下動により指圧効果を有する打たせ湯器具に関するものである。
【０００２】
【従来の技術】
従来の技術としては、湯又は水を通す通水パイプと、この通水パイプの供給孔から供給される湯又は水を受ける複数の受容器とを有するシャワーユニットを設け、前記受容器をそれぞれ上下方向に揺動自在に枢着するとともに、各受容器の開口部を前記供給孔に臨ませた状態で各受容器を傾斜させて保持する支持手段を設け、各受容器内に溜まった湯又は水による重心位置の移動によって各受容器を下方側に回動させて前記受容器内の湯又は水を落下させるように構成したことを特徴とする浴室用打たせ湯装置がある。（特許文献１参照）
【０００３】
また、別の従来例として、多数の孔或いは隙間溝を開けた、ほぼ肩幅に等しい長さ又はさらに長いパイプを浴槽の縁に設置し、パイプの孔或いは隙間溝から湯を肩や首筋にかける打たせ湯装置がある。（特許文献２参照）
【０００４】
【特許文献１】
特開２０００−２９６１６１号（請求項１、図１）
【特許文献２】
特開２００２−１４３２５５号（請求項１、図１）
【０００５】
【発明が解決しようとする課題】
上記前者においては、受容器内の湯又は水を落下させるように構成したもので、ししおどしの原理を利用したものと考えられるが、打たせ湯を肩等に当てた時、耳の中に湯や水が入ったり、複数の人が同時に使用する場合、周囲に湯や水が飛び散り、不快感を感じる人も少なくない。
また、上記後者においては、パイプの孔等から湯を肩や首筋に近距離から当てるもので、指圧効果は余り期待できないものである。
【０００６】
本発明は上記各問題点に鑑みなされたもので、その目的は、周囲に湯（水）を飛び散らせることなく使用でき、打たせ湯を直接指圧具に当て、上下動させることにより、肩等のツボを刺激することができると共に、安全に使用でき、携帯に便利な打たせ湯器具を提供するものである。
【０００７】
【課題を解決するための手段】
上記課題を解決するための手段として、漏斗型に形成した器具本体に取っ手を設けてなること。また、漏斗型に形成した器具本体内に、打たせ湯が直接当たることにより上下動する指圧具を設けてなること。器具本体の上部に、打たせ湯が上方に飛び散らないためのカバーを設けてなること。器具本体に、打たせ湯を排出するための排出口を設けてなること。さらに、指圧具が、打たせ湯が当たる受部と、指圧するための軸部と、軸部を上下動させるバネ部から構成されてなること。指圧具の軸部に、ゲルマニュームによる指圧材を設けてなること。その上、指圧具の軸部が、熱伝導率のよい銅あるいはアルミニウム等を使用してなることを特徴とする。
【０００８】
【発明の実施の形態】
以下、本発明の打たせ湯器具について図面に基づいて説明する。
打たせ湯器具１は、漏斗型に形成した器具本体２の外周に取っ手２ａを設けてなるもので、取っ手２ａを握り、肩等の所要位置に器具本体２を持っていき、打たせ湯を中に流入させ、使用するもので簡易用である。
打たせ湯器具２１は、取っ手２２ａを設けると共に、下部を開口して排水口２２ｂを設けた漏斗型に形成した器具本体２２内に、打たせ湯が直接当たることにより上下動する指圧具３を設けてなるものである。
この指圧具３は、上記排水口２２ｂ付近に設けるもので、中央に打たせ湯が当たる円盤状の受部３ａを設け、この受部３ａに４枚の板バネによるバネ部３ｂを設け、端部を器具本体２２の下部内周面に固定すると共に、受部３ａの下面に先端にゲルマニュームによる指圧材３ｃ１を設けた指圧するための軸部３ｃを突設してなるものである。
なお、軸部３ｃは熱伝導率のよいアルミニウムや銅製のパイプ製とするのが望ましい。
【０００９】
つぎに、上記打たせ湯器具２１の使用例について図面に基づいて説明する。
まず、右手（図示せず）あるいは左手（図示せず）にて取っ手２２ａを握り、肩Ｋの所要位置に指圧材３ｃ１を当接する。
この状態で、打たせ湯器具２１の器具本体２２内の受部３ａに打たせ湯Ｕを当てることにより、バネ部３ｂが作動（振動）し、軸部３ｃ（指圧具３ｃ１）を上下動させることにより所要位置に対して指圧を行うことができる。
また、軸部３ｃを介して打たせ湯の熱を指圧材３ｃ１に伝えることができ、より一層効果的な指圧を行うことができる。
なお、周囲に飛び散った打たせ湯Ｕ１は器具本体２２の内側に沿って、排水口２２ｂから外へ排出される。
【００１０】
つぎに、他の実施例を説明する。
打たせ湯器具３１は、取っ手３２ａを設け、上面に飛びはね防止板３２ｃを複数枚設けると共に、下部側方を開口してなる排水口３２ｂを設けた多角形（８角形）漏斗型に形成した器具本体３２内に、上部に打たせ湯が当たる円盤状の受部３３ａを、その下方に圧縮コイルバネによるバネ部３３ｂを挿着した軸部３３ｃを設けると共に、軸部３３ｃの先端に上記と同様なゲルマニュームによる指圧材３３ｃ１を設けた指圧具３３を装着してなるものである。
【００１１】
上記のように形成した打たせ湯器具３１は、器具本体３２の中央より打たせ湯Ｕ２を流入させ受部３３ａに当てることにより、バネ部３３ｂが上下動し、軸部３３ｃを上下動させ、指圧材３３ｃ１にて所要位置を指圧するものである。
なお、周囲に飛び散った打たせ湯Ｕ３は、特に上方に飛び散るものは飛びはね防止板３２ｃにて下方に落され、排出口３２ｂから外へ排出されるものである。
【００１２】
上記各実施例において、器具本体の形状、指圧具の形態は、実施例に限定せず同様な機能を有するものであれば他でもよい。
また、軸部の先端にゲルマニュームによる指圧材を使用したが、ゲルマニューム以外のものを使用することも考えられ、軸部のみで指圧することも一考である。
【００１３】
【発明の効果】
１）、漏斗型に形成した器具本体に取っ手を設けたシンプルな形状でありながら、打たせ湯を集中して流出させツボを刺激することができる。
２）、打たせ湯を直接指圧具（受部）に当て、上下動させることにより、肩等のツボを刺激することができる。
３）、バネ部によりシンプルな機構でありながら、軸部を確実に上下動させることができる。
４）、取っ手により手で持って、必要なツボを移動させながら刺激することができる。
５）、排水口より飛び散った湯（水）を外へ排出できる。
６）、特に飛びはね防止板にて上方への飛びはねを防止することができ、周囲に気がねせず使用できるし、耳の中に湯（水）が入ることもない。
７）、持ち運びに便利であり、家庭内でも、外でも使用できる。
８）、ゲルマニュームの指圧材を使用することにより、ツボ指圧効果に加え、イオン浸透効果等によりコリや痛みを解消でき、健康維持に役立つものである。
【図面の簡単な説明】
【図１】本発明の第１実施例を示す打たせ湯器具の一部縦断正面図。
【図２】本発明の第２実施例を示す打たせ湯器具の一部縦断正面図。
【図３】本発明の第２実施例を示す打たせ湯器具の平面図。
【図４】本発明の第２実施例を示す打たせ湯器具の使用状態を示す一部縦断正面図。
【図５】本発明の第３実施例を示す打たせ湯器具の一部縦断正面図。
【図６】本発明の第３実施例を示す打たせ湯器具の平面図。
【符号の説明】
１−−−打たせ湯器具
２−−−器具本体
２ａ−−取っ手
２ｂ−−排水口
３−−−指圧具
３ａ−−受部
３ｂ−−バネ板
【図１】
2004249016.tif 000003
【図２】
2004249016.tif 000004
【図３】
2004249016.tif 000005
【図４】
2004249016.tif 000006
【図５】
2004249016.tif 000007
【図６】
2004249016.tif 000008